(57)【要約】机取り付け具とモニタマウント手段とを組み込むモニタ支持装置であって、少なくとも部分的に机上面のアパーチャの下にモニタが取り付けられ、その結果、該モニタが該アパーチャを通して視られることを可能にする、モニタ支持装置が提供される。モニタマウント手段は、その上に取り付けられるモニタを、机上面に関して所定の固定角度で配置するように適合されており、モニタを支持するモニタブラケットと、モニタを固定角度に維持するスペーサアーム部材とを含む。
2010522590.tif 000002
【特許請求の範囲】
【請求項１】
机取り付け具とモニタマウント手段とを組み込むモニタ支持装置であって、少なくとも部分的に机上面のアパーチャの下にモニタがマウントされ、その結果、該モニタが該アパーチャを通して視られることを可能にする、モニタ支持装置。
【請求項２】
前記モニタマウント手段は、その上に取り付けられるモニタを、前記机上面に関して所定の固定角度で配置するように適合される、請求項１に記載のモニタ支持装置。
【請求項３】
モニタマウント手段が、
モニタを支持するモニタブラケットと、
該モニタを前記固定角度に維持するスペーサアーム部材と
を含み、
該モニタブラケットは、該スペーサアーム部材に解放可能に係合可能である、請求項２に記載のモニタ支持装置。
【請求項４】
前記スペーサアーム部材は、前記机取り付け具への取り付けのための手段を含む、請求項３に記載のモニタ支持装置。
【請求項５】
前記モニタブラケットは、フラットパネルモニタへの取り付けに適合される、請求項３あるいは請求項４に記載のモニタ支持装置。
【請求項６】
前記モニタブラケットを前記スペーサアーム部材に解放可能に固定する締め付け手段をさらに含む、請求項３から５のいずれかに記載のモニタ支持装置。
【請求項７】
モニタブラケットは、少なくとも１つのボルト穴を含み、前記締め付け手段はボルトである、請求項３から６のいずれかに記載のモニタ支持装置。
【請求項８】
前記スペーサアーム部材は、その長手方向の軸に沿った少なくとも１つの細長いスロットを含み、該細長いスロットを通ってボルトが受容され得て、前記モニタブラケットを該スペーサアーム部材に固定する、請求項７に記載のモニタ支持装置。
【請求項９】
前記モニタブラケットは、少なくとも２つのボルト穴を含み、前記スペーサアーム部材は、少なくとも１対の平行な細長いスロットを含み、該細長いスロットは、該モニタブラケットのボルト穴の間隔に整合する相対的間隔を有し、１対のボルト穴が１対の細長いスロットと協働することを可能にする、請求項８に記載のモニタ支持装置。
【請求項１０】
前記スペーサアーム部材は、前記机に関して、その上にマウントされるモニタの平行移動を可能にし、該平行移動は水平方向成分と垂直方向成分とを有する、請求項３から９のいずれかに記載のモニタ支持装置。
【請求項１１】
前記平行移動は、モニタが全体的にあるいは部分的に机上面の下に沈められることを可能にする、請求項１０に記載のモニタ支持装置。
【請求項１２】
前記モニタブラケットは、フラットパネルモニタの任意のサイズに合うように適合可能である、請求項３から１１のいずれかに記載のモニタ支持装置。
【請求項１３】
前記モニタブラケットは、前記フラットパネルモニタの背面に取り付けるための手段を含む、請求項３から１２のいずれかに記載のモニタ支持装置。
【請求項１４】
フラットパネルモニタの前記背面に取り付けるための前記手段は、標準フラットパネルモニタの該背面にある標準マウント構成と協働するように適合される、請求項１３に記載のモニタ支持装置。
【請求項１５】
フラットパネルモニタの前記背面に取り付けるための前記手段は、該フラットパネルモニタの背面の正方形あるいは四角形のくぼみに受容可能な実質的にＸ型の板を含む、請求項１３あるいは請求項１４に記載のモニタ支持装置。
【請求項１６】
前記実質的にＸ型の板は、４つの角の延長部を有し、各延長部は脆弱な除去可能な終端部分を有し、該脆弱な除去可能な終端の部分除去はＸ型の板のサイズを減少させる、請求項１５に記載のモニタ支持装置。
【請求項１７】
各角の延長部は、ボルト穴と共に提供され、前記フラットパネルモニタの背面の対応するボルト穴と協働する、請求項１６に記載のモニタ支持装置。
【請求項１８】
前記モニタブラケットは、ラップトップコンピュータのクレードルである、請求項３から１１のいずれかに記載のモニタ支持装置。
【請求項１９】
前記ラップトップコンピュータのクレードルは、開いた構成において、前記ラップトップの基部を支持する基板部分と、ラップトップの画面部分を支持する背面部分とを含む、請求項１８に記載のモニタ支持装置。
【請求項２０】
前記基板部分は、ラップトップを該基板部分にセキュアに維持するために、外部の高くなった開口を含む、請求項１９に記載のモニタ支持装置。
【請求項２１】
前記ラップトップコンピュータのクレードルは、少なくとも１つの換気孔を含む、請求項１８から２０のいずれかに記載のモニタ支持装置。
【請求項２２】
前記ラップトップコンピュータのクレードルは、少なくとも１つのラップトップケーブルを収容するための少なくとも１つのケーブルアパーチャを含む、請求項１８から２１のいずれかに記載のモニタ支持装置。
【請求項２３】
前記ラップトップコンピュータのクレードルは、ラップトップセキュリティストラップを受容するように適合される、請求項１８から２２のいずれかに記載のモニタ支持装置。
【請求項２４】
前記机取り付け具は、前記机上面の下側にあるいは前記机の背面壁に取り付け可能である、請求項１から２３のいずれかに記載のモニタ支持装置。
【請求項２５】
前記スペーサアームの前記机取り付け具への取り付けのための前記手段は、前記机取り付け具の中にスライド可能に受容可能である机係合板を含む、請求項４から２４のいずれかに記載のモニタ支持装置。
【請求項２６】
前記机係合板の位置を、部分的にあるいは全体的に前記机取り付け具内に固定するための手段をさらに含む、請求項２５に記載のモニタ支持装置。
【請求項２７】
前記固定のための手段は、前記机取り付け具内の細長いスロットと、前記係合板の対応するボルト穴と、該机取り付け具と前記スペーサアームとの間の相対的な動きを防ぐための、前記スロットとボルト穴を通って受容され得るボルトとを含む、請求項２６に記載のモニタ支持装置。
【請求項２８】
請求項１から２７のいずれかに記載のモニタ支持装置と共に使用するように適合され、机上面を含む、机。
【請求項２９】
前記机上面のアパーチャを含み、該アパーチャを通してモニタ支持装置内に取り付けられたモニタが視える、請求項２８に記載の机。
【請求項３０】
前記アパーチャは、少なくとも１つの取り外し可能な透明ガラスのシートを含む、請求項２９に記載の机。
【請求項３１】
前記ガラスは、強化されている、請求項３０に記載の机。
【請求項３２】
前記アパーチャは、少なくとも１つの取り外し可能な不透明板を含む、請求項２８に記載の机。
【請求項３３】
前記机上面の下にマウントされたスライド可能なキーボードトレイをさらに含む、請求項２８から３２のいずれかに記載の机。
【請求項３４】
前記机の移動のために少なくとも２つの車輪をさらに含む、請求項２８から３３のいずれかに記載の机。
【請求項３５】
中央処理ユニットＣＰＵと、ＣＰＵを支持するブラケットとをさらに含む、請求項２８から３４のいずれかに記載の机。
【請求項３６】
請求項１から２７のいずれかに記載のモニタ支持装置を組み込む、請求項２８から３５のいずれかに記載の机。
【請求項３７】
実質的に添付の図面を参照して明細書に記述されたようなモニタ支持装置、および、添付の図面に示されたようなモニタ支持装置。
【発明の詳細な説明】
【技術分野】
【０００１】
本発明は、少なくとも１つのＶＤＵ（複数）である、テレビジョンおよびビデオモニタと、ノートブックおよびラップトップコンピュータとを含むモニタの支持に関連する。特に、本発明は、机あるいは作業台の表面の下にモニタの少なくとも一部を収納するように設計され、ユーザへの最適な視角と距離において提供する、ユニバーサル標準準拠の調整可能な人間工学的モニタ支持／セキュリティ装置に関連する。
【背景技術】
【０００２】
コンピュータディスプレイおよびモニタは、伝統的に机あるいは作業ステーションの表面に取り付けられてきており、目線レベルあるいは水平目線レベルの１０度から２０度下のいずれかに一般に配置されている。付随するマウスおよびキーボードは、伝統的に机の表面に配置され使用されている。しかしながら、これらの構成は人間工学的には最適以下であることが判明している。首、肩および目の緊張が、そのような構成の使用によって長い期間にわたって起こり得る。ＶＤＵに表示された資料や情報を読むような、資料を見るのに最も自然で快適な姿勢は、６００ｍｍから９００ｍｍの間の距離（ＩＳＯ１１０６４第４部、２００４年版）から、水平から１０度と４０度との間の角度で見下ろすことである。目は最小の頭の動きに伴いこれに自然に適応する。机上にモニタを取り付ける現在の習慣は、首、肩および目にストレスと緊張とを起こし得る。特に、タッチタイピストは、視線をキーボード、作業用紙および画面の間で日常的に切り替えている。これら３つの視野のすべてを単一の平面あるいは視線の中に入れることが望ましい。
【０００３】
これらの問題を克服する初期の試みは、障害のいくらかを改良したが、なおもユーザが画面を見上げることを要求した。例えば、キーボードおよびマウスを使用するために、机の高さを下げることは、快適な使用、読み書きのためには、机上面が低く過ぎる結果となった。
【０００４】
例えば、特許文献１は、キーボードがコンピュータモニタの配置される作業机の表面のレベルの下に設置されている、コンピュータ端末を使用するための人間工学的に優れたキーボードを開示している。この構成での問題は、キーボードが最適なタイピングのための正しい高さではなく、ＶＤＵの視角が対象にされていないことである。
【０００５】
この問題に対して、モニタあるいはディスプレイを机内に埋め込むことによる種々の解決方法がある。
【０００６】
特許文献２は、受容された人間工学主題に従ったコンピュータキーボードおよびモニタを支持するための、作業机あるいはカウンタの切り取られた部分への組立のための予め形成されたプラットフォームに関連している。キーボードの基部は、通常の机の高さより低いレベルに支持され、タイピングが実質的に同一レベルで真っ直ぐな手首によって行われることを可能にする。手首支持バーは、手首を支持するように提供され、手首の緊張を低減する。モニタとキーボードは、最適な作業者の快適さと効率のために、床から同じような高さで作業者から同じような距離で、それらの動作中心に配置される。このシステムは、ＣＲＴモニタの使用とセキュリティに限定される。さらに、このシステムのさらなる問題は、モニタが移動される、および／または変更されるとき、システムが全域の調整を提供しないので、クリティカル角がリセットされない可能性があることである。作業机の高さは、また、達成するのが困難であり、システムは机にレトロフィットすることができない。
【０００７】
特許文献３は、メイン机板を支持するフレームを有する作業机を開示し、背面にはガラス前面パネルを有する立ち上がり部がある。立ち上がり部の本体の内には、キャリッジ上に支持されるコンピュータモニタがある。キャリッジは、高さおよび傾きの角度が調整されることを可能にする垂直の支柱上にマウントされる。キャリッジは、また、２つの断面レールからなるガイドに沿って動くことによって水平に配置される。システムは、ＣＲＴモニタで使用されるように限定され、大きなそして重量物目的に作られた机を要求する。さらに、モニタ画面は実質的に机の作業面の最上部に配置されたままであり、誤った角度で簡単に使用され得る。
【０００８】
特許文献４は、コンピュータモニタが作業面の下に、織物で作られた支持によって保持される構成を開示する。この側面は、作業面の下に固定される２つのバー上に接合される環状のフレームに固定される。１つのフレームは、バーの後のスロットに保持され、他のフレームはバーの前のフックに保持される。この構成の問題点は、織物が空気の循環を許容しないことであり、結果として、コンピュータモニタの過熱が起こり得ることである。さらに、いかなる特定のあるいは正しい角度においても、織物はモニタを強固に保持するようには設計されていない。再び、この構成はＣＲＴモニタの使用に限定される。健康および安全の局面が重量的に重いＣＲＴモニタの吊り下げによって引き起こされることは、周知である。レトロフィットはこのシステムにおいてはいずれにせよ可能ではない。
【０００９】
特許文献５は、例えば、キーボード、モニタおよびプロセッサのようなパーソナルコンピュータの種々の部品を受容するための、多くの異なる支持表面を有する机を開示する。モニタは、コンピュータキーボードのために、前面支持表面の後ろで裏方向および下方向に角度を有する表面によって支持されるので、頭のさらなる動きなしでモニタ画面がキーボード操作者に視える。しかしながら、構成は机表面がモニタの最上部を適応するために邪魔されることを要求する。机表面の利用可能な作業スペースの結果的な損失は、望ましいことではない。さらに、システムは種々のモニタサイズあるいはタイプの使用に対して適合可能ではない。さらなる問題は、レトロフィットに対するその不適切性と貧弱なセキュリティとを含む。
【００１０】
米国登録意匠第Ｄｅｓ４３０，１６５号、第Ｄｅｓ４３０，５７０号および米国意匠出願第２９／２０５，７３０号に加えて、米国特許第４，２０７，４０５号および米国特許第６，７９６，５３６号は、モニタをある角度で支持するのに適する独立の支持にすべて関連している。
【先行技術文献】
【特許文献】
【００１１】
【特許文献１】独国特許発明第４２４０３４９号明細書
【特許文献２】米国特許第５１２０１１７号明細書
【特許文献３】独国特許発明第４２２５６６２号明細書
【特許文献４】仏国特許発明第２７７４５７１号明細書
【特許文献５】スイス国特許第６８６０２２号明細書
【発明の概要】
【課題を解決するための手段】
【００１２】
本発明によれば、机取り付け具とモニタマウント手段とを組み込むモニタ支持装置であって、少なくとも部分的に机上面のアパーチャの下にモニタがマウントされ、その結果、該モニタの該アパーチャを通して視られることを可能にする、モニタ支持装置が提供される。
【００１３】
本発明のモニタ支持装置は、特別に設計された机あるいは作業上面と共に使用され得て、あるいは、簡単に、すばやく、かつセキュアに、既存の机、作業上面、テーブル、作業ステーションあるいは同様なものにレトロフィットされ得る。前記装置が任意の机あるいは同等物に合わせられる容易性とスピードは、本発明の多くの利点の１つである。ひとたび合わせられると、装置はモニタがセキュアにすばやくマウントされることを可能にする。モニタが装置にマウントされかつ装置から取り除かれることは両方とも非常に容易である。また、モニタをセキュアに装置に係止することも可能であり、このことは、セキュリティの面では大きな利点である。
【００１４】
モニタマウント手段は、好ましくは、その上にマウントされるモニタを、机上面に関して所定の固定角度で配置するように適合される。
【００１５】
好ましくは、机取り付け具は机上面の下側あるいは机の背面壁に取り付け可能である。
【００１６】
モニタマウント手段は、モニタが机にセキュアにマウントされることを可能にする。
【００１７】
本発明の少なくとも１つの実施形態によると、モニタマウント手段は、モニタを支持するモニタブラケットと、モニタを固定角度に維持するスペーサアーム部材とを含み、該モニタブラケットは、該スペーサアーム部材に解放可能に係合可能である。好ましくは、スペーサアーム部材は、前記机取り付け具への取り付けのための手段を含む。
【００１８】
モニタ支持装置は、好ましくは、モニタブラケットをスペーサアーム部材に解放可能に固定する締め付け手段をさらに含む。モニタブラケットは、少なくとも１つのボルト穴を含んでよく、前記締め付け手段はボルトであってよい。好ましくは、スペーサアーム部材は、その長手方向の軸に沿った少なくとも１つの細長いスロットを含み、該細長いスロットを通ってボルトが受容され得て、モニタブラケットを該スペーサアーム部材に固定する。
【００１９】
好ましくは、モニタブラケットは、少なくとも２つのボルト穴を含み、スペーサアーム部材は、少なくとも１対の平行な細長いスロットを含み、該細長いスロットは、該モニタブラケットのボルト穴の間隔に整合する相対的間隔を有し、１対のボルト穴が１対の細長いスロットと協働することを可能にする。
【００２０】
好ましくは、スペーサアーム部材は、机に関して、その上に取り付けられるモニタの平行移動を可能にし、該平行移動は水平方向成分と垂直方向成分とを有する。平行移動は、モニタが全体的にあるいは部分的に机上面の下に沈められることを可能にすることが十分に理解されるであろう。
【００２１】
本発明の１つの局面によると、モニタブラケットはフラットパネルモニタへの取り付けに適合される。モニタブラケットは、フラットパネルモニタの任意のサイズに合うように適合可能である。モニタブラケットは、フラットパネルの背面に取り付けるための手段を含み得る。好ましくは、フラットパネルモニタの背面への取り付け具のための手段は、標準フラットパネルモニタの背面に見出される標準取り付け構成と協働するように適合される。フラットパネルモニタの背面への取り付け具のための手段は、フラットパネルの背面の正方形あるいは四角形のくぼみに受容可能な実質的にＸ型の板を好ましくは含む。好ましくは、実質的にＸ型の板は、４つの角の延長部を含み、各延長部は脆弱な除去可能な終端部分を有し、該脆弱な除去可能な終端部分の除去はＸ型の板のサイズを減少させる。好ましくは、各角の延長部は、ボルト穴と共に提供され、フラットパネルモニタの背面の対応するボルト穴と協力する。
【００２２】
Ｘ型の板に加えて、フラットパネルモニタブラケットは、好ましくは、スペーサアーム部材の１対の細長いスロットと協働するために、モニタブラケットのボルト穴を組み込むスペーサアーム係合板をさらに含む。
【００２３】
好ましくは、Ｘ型の板は、任意の方向でモニタに取り付け可能である。これは、スペーサアーム係合板がモニタの基部、側面あるいは上面から突き出ることを可能にする。スペーサアーム係合板の各方向は、スペーサアーム部材、ついで机取り付け具に対して、モニタの異なる位置をもたらすことが十分に理解されるであろう。これは、アパーチャに関して机取り付け具の位置によらず、机アパーチャの下にまたは机アパーチャを通してモニタが中央に配置されたまま留まることを可能にする。
【００２４】
本発明の他の局面によると、モニタブラケットは、ラップトップコンピュータのクレードルである。好ましくは、該ラップトップコンピュータのクレードルは、開いた構成において、ラップトップの基部を支持する基板部分と、ラップトップの画面部分を支持する背面部分とを含む。クレードルの基板部分は、ラップトップを該基板部分に確実に維持するために、外部の高くされた開口を含み得る。好ましくは、ラップトップコンピュータのクレードルは、少なくとも１つの換気孔を含む。ラップトップコンピュータのクレードルは、少なくとも１つのラップトップケーブルを収容するための少なくとも１つのケーブルアパーチャを含み得る。ラップトップコンピュータのクレードルは、ラップトップセキュリティストラップを受容するように適合され得る。
【００２５】
この実施形態では、スペーサアーム部材の中の１対の細長いスロットと協力するためのブラケットのボルトは、クレードルの後部分（背面板）において提供される。
【００２６】
本発明は、本発明のモニタ支持装置と共に使用するように適合される机をさらに提供し、該机は机上面を含む。机は任意のサイズであってよい。机は、好ましくは、机上面のアパーチャを通して前記モニタ支持装置内にマウントされるモニタが視られる、該机上面のアパーチャを含む。好ましくは、前記アパーチャは、少なくとも１つの取り外し可能な透明ガラスのシートを含む。前記ガラスは、好ましくは、強化されている。
【００２７】
代替として、アパーチャは、少なくとも１つの取り外し可能な不透明板を含み得る。
【００２８】
アパーチャが机の左側あるいは右側のどちらかに提供される机は、左利きあるいは右利きのユーザに適合され得る。
【００２９】
代替の実施形態では、机表面全体が、ユーザがその下に取り付けられているモニタを視ることができるように、透明であってよい。ガラスあるいは、ＰｅｒｓｐｅｘＴＭのような透明プラスチックの表面が使用され得る。モニタが半沈降状態にあることを可能にするために、この表面にアパーチャが存在し得る。
【００３０】
好ましくは、机は、机上面の下に取り付けられたスライド可能なキーボードトレイをさらに含む。キーボードトレイは、キーボードが机表面以下に配置されることを可能にする。キーボードトレイは、好ましくは、キーボードトレイを机表面の下に取り付けるために、スライドレールのような調節可能な取り付けシステムと共に提供される。好ましくは、キーボードトレイは、机表面に関して高さ調節可能である。なおもさらに、キーボードトレイは、好ましくは、ユーザにとって最適なタイピング姿勢を達成するために、机に向かっておよび机から遠ざかる方向にスライド可能である。机の１つの実施形態によると、キーボードトレイは、概略、長さで７１１ｍｍ、幅で２５４ｍｍであり、概略１８ｍｍの厚さを有する。蟻排除システムがキーボードトレイに提供されてもよい。
【００３１】
机は、中央処理ユニットＣＰＵ、ＣＰＵを支持するブラケットをさらに含み得る。ブラケットは調節可能であり得る。調節可能なＣＰＵは、机の側板の１つに取り付け可能であり、ＣＰＵが座する基板部分を含む。ブラケットは、基礎になる床から少し離れたＣＰＵを保持する棚の形状を取り得る。ブラケットは好ましくは調節可能であり、異なるサイズのＣＰＵに適応する。
【００３２】
固定手段は、モニタをモニタ支持および／または机アセンブリに固定するために、提供され得る。
【００３３】
モニタセキュリティストラップは、モニタを机に関して支持するためにさらに提供され得る。ストラップは、好ましくは、それぞれの終端で、アパーチャのそれぞれの側に隣接する机の下側に固定される。ストラップの中央部分は、モニタの背面とモニタブラケットとの間を好ましくは通過する。モニタセキュリティストラップは、モニタのためのさらなる支持を提供し、特に重いモニタに有益である。
【００３４】
机は静止型であってよいし、あるいは、代わりに可動型であってもよい。机は、好ましくは机の移動のための少なくとも２つの車輪を含み、机が基礎になる面を横切って転がされることを可能にする。１つの実施形態では、車輪は机の後ろ側でのみ提供され、机を定位置に操作するときに、机は机の前側（ユーザに隣接する側）をわずかに上げることによって動かされ得る。車輪は机が座するフレーム上に提供され得る。４つの車輪がそのようなフレームに提供され得る。車輪は、好ましくは、高荷重車輪である。係止手段は、車輪の上に提供され得る。
【００３５】
ロック可能なセキュリティ板が、机の前部が机の下側への権限のないアクセスを防ぐように、提供され得る。
【００３６】
反射防止フードのような反射防止手段がさらに提供されてもよい。
【００３７】
本発明は、本発明によるモニタ支持装置を組み込むキットをさらに提供する。キットは、装置を机あるいは同様な構造に合わせるために要求される固定具とフィッティングとを含み得る。モニタ支持装置は、任意の机状の構造にレトロフィットされ得ること、あるいは、事前に用意された机または机状の構造と共に使用され得ることが十分理解されるであろう。
【００３８】
本発明のモニタ支持装置は、適合された机上面単独で、机上面と脚セットで、あるいは可動机または机モジュールで提供されてもよい。既存の机が低すぎるなら、高くする部品が机上面を上げるために使用され得る。
【００３９】
本発明は、以下の添付の図面を参照して記述される。
【図面の簡単な説明】
【００４０】
【図１】図１は、本発明のモニタ支持装置の１つの実施例を組み込んでいる机を、机の下に完全に沈められた位置のモニタと共に図示している。
【図２】図２は、図１の机の側面図であり、机の下側で使用のモニタ支持装置を示している。
【図３】図３は、図１の机の基部の図である。
【図４】図４は、図１から３の机からのモニタ支持装置をモニタ支持を逆にして図示している。
【図５】図５は、図４のモニタ支持装置を最高の位置にあるモニタ支持と共に図示している。
【図６】図６は、図５のモニタ支持装置を組み込んでいる机を、机の穴を通したモニタの半沈降状態とともに図示している。
【図７】図７は、図６の机の透視図である。
【図８】図８は、本発明の１つの実施形態による机取り付け具を図示している。
【図９】図９は、図８の机取り付け具の下側を図示している。
【図１０】図１０は、本発明の１つの実施形態によるスペーサアーム部材を図示している。
【図１１】図１１は、図１０の机取り付け具の下側を図示している。
【図１２】図１２は、本発明の１つの実施形態によりモニタ支持装置を図示している。
【図１３】図１３は、図１２のモニタ支持装置の下側を図示している。
【図１４】図１４は、横方向のモニタ支持をさらに組み上げた図４のモニタ支持装置を図示している。
【図１５】図１５は、図１４の支持を、モニタ支持を逆にして図示している。
【図１６】図１６は、ラップトップコンピュータを支持するように適合されたモニタ支持装置の代替の実施形態を、開いた状態の構成で図示している。
【図１７】図１７は、図１６のモニタ支持装置を逆にした図である。
【図１８】図１８は、図１６のラップトップクレードルの前面透視図である。
【図１９】図１９は、図１６のラップトップクレードルの後面透視図である。
【図２０】図２０は、机の背面壁への取り付け具に対する本発明のモニタ支持装置の代替の実施形態を示している。
【図２１】図２１は、本発明の１つの実施形態によるスペーサアーム部材の代替の実施形態を図示している。
【発明を実施するための形態】
【００４１】
本発明は、モニタを、机の表面の下に正しい角度で安全に収納するように適合した調整可能な人間工学的モニタ支持装置を提供する。図１は、本発明によるモニタ支持装置を組み込む机を示している。示されるように、モニタ支持装置は、モニタが、この場合はフラットパネルモニタであるが、机の作業面の下で支持されることを可能にし、モニタの画面は机の上側表面に提供されるアパーチャを通して視える。モニタ支持装置は、モニタがユーザに対して最適な視角および距離で表示されることを可能にする。
【００４２】
図２および図３に示されたように、モニタ支持装置は、机の下側に取り付けて示される机取り付け具１０、モニタの裏側に取り付けて示されるモニタブラケット、および第３の部品である、机取り付け具とモニタブラケットをリンクするスペーサアーム部材を有する。結果のモニタ支持装置の組み合わせは、モニタが机上面の下に実効的に吊り下げられ固定されることを許容する。
【００４３】
図４は、図２から組み立てられた支持構成をより詳細に示している。机取り付け具１０は、机上面の下側にスクリューボルト１３によって固定され得る。スペーサアーム部材２０は、傾斜したスロット板２２に接続される机マウント板２１を含む。机マウント板２１は、机取り付け具１０の下側の対応するフランジ１５によって、机取り付け具１０の中にスライド可能に受容可能である。最終的に、モニタブラケット３０は、モニタマウント３３に中間部分３２を介して接続されるスペーサアーム係合板３１を有するフラットパネルモニタブラケットである。
【００４４】
嵌め合わせボルト（示されない）は、スクリュー孔３４および傾斜したスロット板２２に提供されるスロットの内の２つを通じて嵌め合わせボルトをねじ締めることによって、スペーサアーム係合板３１を解放可能にしかし強固に傾斜したスロット板２２に結合するために使用される。図３に示される構成では、２つの内側スロット１９が用いられ、結果としてモニタブラケット３０が傾斜したスロット板２２に対して中心に配向される。下に述べるように、傾斜したスロット板２２の中の複数のスロットは代替の組み合わせで、傾斜したスロット板２２に対するモニタブラケット３０の位置を変更するために使用され得る。
【００４５】
図４におけるモニタブラケット３０の位置は、図２の位置とは少し異なっていることに注意が必要である。これは、同じスクリュー孔３４およびスロット２９の組み合わせを用いて、モニタブラケットが１８０°回転され、部分２２に再固定され得ることを示すためである。この構成は、モニタマウント部分３３がスペーサアーム係合板３１よりも高い位置に座することを可能にする。スロット１９の提供は、モニタブラケット全体が細長い支持板２０の長さ方向をスライドすることを可能にし、モニタが所望の位置に固定されるために所望の位置に到達することを可能にする。図５に示されるように、モニタマウント３３の最上部にモニタブラケットを配向することによって、モニタが机の穴を通って突き出るモニタの最高の可能な位置が達成される。これは、図６および図７にはっきりと示される。
【００４６】
図８および図９は、本発明の１つの実施形態による机取り付け具１０を示す。机取り付け具１０は、実質的に四角形の板によって形成される実質的に平面の基板１１を含む。角１２の対は、基板１１の側の反対側から延び、実質的にＨ型を形成する。角１２は、ねじ穴１３と共にそれぞれ提供される。ねじ穴１３は、机の下側に、あるいは、後ほど検討されるように机の内側壁に、机取り付け具１０を取り付けるために使用される。基板１１は、また、実質的に直線的な腹部スロット１４と共に提供される。図９で最良に見られるように、曲がったフランジ１５の対は基板１１の対向側に設定され、実質的に互いに平行に配置される。曲がったフランジ１５は、それらの間に支持溝１６を、以下に記述されるように、提供し、スペーサアーム部材２０の板２１を受容する。
【００４７】
スペーサアーム部材２０は、傾斜したスロット板２２に接続される机マウント板２１を含む図１０に全体が示される。机マウント板は、実質的に四角形であり、実質的に互いに平行な２つの側端２３と、実質的に接続端２５に平行である終端２４とを含み、接続端２５は、順次に机マウント板２１を傾斜したスロット板２２に角度のある部分２７を介して接続する。机マウント板２１は、側端２３に関して中心に配置され、かつ、終端２４に近接して配置されるねじの切られたボルト穴２６を含む。机マウント板２１は、２つのフランジ１５の間の距離に幅が実質的に等しく、机マウント板２１がフランジ間をスライドする。使用では、スペーサアーム部材２０は、机取り付け具１０にねじあるいはボルト（示されない）によってボルト穴２３を通って、かつ、腹部スロット１４を通って取り付けられ得る。腹部スロット１４は、装着されるとき、スペーサアーム部材２０の位置が机取り付け具１０に関して調整されることを可能にする。ひとたび装着されると、モニタの位置は固定される。ボルトは、その後、机（特に、机が木製の場合）にさらに固定される。これは、机からモニタを取り除こうとする試みに際して、セキュリティを提供する。
【００４８】
机マウント板２１は、角度のある部分２７によって、傾斜したスロット板２２に接続される。机マウント板とスロット板との間の角度は、好ましくは約１３５°である。角度は、ユーザのモニタの画面に対する最も望ましい視角（水平から１０°と４０°との間の）が達成されることを確実にするように固定される。
【００４９】
傾斜したスロット板２２は、長さの大部分に沿った、５つの実質的に平行なスロットを有する細長い長方形をした板である。スロットは、傾斜したスロット板２２の端部にそれぞれ近接して配置される外側の対２８、傾斜したスロット板２２の中央にそれぞれ近接して配置される内側対２９、および中央スロット４０を含む。外側の対２８は、約１００ｍｍの離間して平行な関係で配置される。内側の対２９は、約７０ｍｍの平行に離間した関係にある。寸法は、フラットディスプレイマウントインターフェイス（ＦＤＭＩ）のようなビデオ電子機器標準連盟（ＶＥＳＡ）標準に対応するように選ばれる。これは、フラットパネルモニタおよび他のディスプレイを取り付けるためのＶＥＳＡ標準である。ＦＤＭＩ標準は、また、ＶＥＳＡマウントとして参照される。
【００５０】
図１２と１３に詳細が示されるように、モニタブラケット３０は、中間部分３２を介してモニタマウント３３に接続されるスペーサアーム係合板３１を含む。スペーサアーム係合板３１は、一連のねじ穴３４を有する実質的に平面の四角形の板を含む。スペーサアーム係合板３１は、実質的に長方形の板を含み、中間部分３２は長方形の短辺の１つにおいて接続される。中間部分３２は、実質的にＳ型の断面を有し、スペーサアーム係合板３１がモニタマウント３３の平面に実質的に平行であるが、離間した関係でモニタマウント３３の平面から偏っていることを維持することを可能にする。モニタマウント３３は、スペーサアーム係合板３１から離れる方向に中間部分３２から延びている。モニタブラケットは、それ故、ドッグレッグプロファイルを含むと言われ得る。
【００５１】
嵌め合わせボルト（示されない）は、スペーサアーム係合板３１を傾斜したスロット板２２に、嵌め合わせボルトをスクリューボルト３４およびスロット２８、２９、４０を通ってねじを切ることによって取り付けるために使用される。モニタマウント３３は、実質的に十字形状である。それぞれの十字形アーム３５は、スクリュー孔の形の第１のモニタ取り付け点３８および第２のモニタ取り付け点３９によって、提供される。第１および第２モニタ取り付け点３８、３９は、十字形アーム３５の脆弱部分３７によって互いに隔てられている。弱められた首３７ａは、アーム３５の各端の印によって、各印の間の細長いスロット３７ｂと共に形成される。これらの特徴は、脆弱部分３７がそのアームの残りの部分から、好ましくは手によって、簡単に折られることを可能にする。
【００５２】
本発明の１つの実施形態では、フルサイズのＸ型モニタマウントがＶＥＳＡ１００モニタの使用に対する寸法であり得る。脆弱部分３７は、ユーザが第２のモニタ取り付け部分３６を、ＶＥＳＡ７０あるいはＶＥＳＡ７５のような、より低いＶＥＳＡスペックを有するモニタに適するように、折ることを可能にする。
【００５３】
中間部分３２の長さが部品３１および３３の平面が互いに十分離れた位置を保つように選択され、モニタ支持がフラットパネルモニタの異なるサイズおよび形状に合わせることを可能にすることが十分に理解されるであろう。当業者は、多くのフラットパネルモニタの背面が、マウント支持が受容され得る浅い正方形あるいは長方形のくぼみを提供されていることに気付くであろう。部分３３は、いかなるそのようなくぼみにも受容されるように設計され、中間部分３２は、モニタハウジングの部分３１をクリアに保つために、くぼみの外に延びる。
【００５４】
上記のように、平坦板部分３１の穴３４は、構成部品３０を傾斜したスロット板２２に固定するために使用される。図４から７に示されるように、このフィッティングは、モニタが上下に動かされることを可能にし、支持板が異なるサイズのフラットパネルモニタ（ＦＰＭ）に適応することを可能にし、ＦＰＭが作業上面／机のレベルの上方に現れることを許容するために、モニタが逆にされることを可能にする。
【００５５】
図１４および１５を参照して、角度のある支持２２の中央スロット４０の提供は、また、平坦板３１が９０°回転されスペーサアーム部材に固定されることを可能にし、モニタがスペーサアーム部材中央の縦軸のいずれかの側に配置されることを可能にする。そのような構成において、中間部分３２は基部に隣接（図６）あるいは最上部に隣接（図２）するのではなくモニタの一方の側に隣接する。
【００５６】
フラットパネルモニタでの使用に加えて、本発明のモニタ支持装置はラップトップコンピュータでの使用にも適している。図１６は、アセンブリのラップトップ版を示す。このアセンブリにおいては、モニタブラケット３０はラップトップ支持５０に置換されている。ラップトップ支持５０は、長辺の１つに沿ってリンクされた２つの実質的に長方形の面によってラップトップの開いた形状に従う。２つの面の間の角度は、代替の角度が提供され得るが、直角よりも少しだけ大きい角度であることが示される。この実施形態においては、ラップトップ支持５０は金属あるいは硬質プラスチックの単一の実質的に長方形のシートからスタートし、その中心軸回りに曲げられるが、他の実施形態ではラップトップ支持は、要求される形状を提供するために、共に一緒にされる任意の数の部品を含み得る。
【００５７】
図１８および１９に見られるように、ラップトップ支持５０は、ラップトップ受容基板５１および背面板５２を含む。背面版５２は、モニタマウント３３に提供される穴３４と形状において同等でありかつ相対位置にある穴５７と共に提供される。従って、穴５７は背面板５２と従ってラップトップ支持５０とが、スペーサアーム部材部分２０の傾斜したスロット板２２に取り付けられることを可能にする。再び、スロット対１８のいずれかがラップトップ支持を中央に合わせることに利用され、あるいは、代わりとして中央スロット４０が、スロット１８の１つとの組み合わせで使用され、ラップトップ支持を傾斜したスロット板２２のいずれかの側に位置合わせすることが十分に理解されるであろう。
【００５８】
図１７においてもっともよくわかるように、ラップトップ受容基板５１は、その上に配置されるラップトップのための換気および空気循環を提供するために、一連の換気孔／スリット５６と共に提供される。任意の電気機器によって、電源が入っているときにラップトップはかなりの量の熱を生成し、ラップトップ自体の換気孔はその基部周りに配置されていることは、周知である。換気スリット５６は、スリットの上に配置されるラップトップが不十分な換気の結果で過熱しないことを確実にする。換気孔あるいはスリットは、他の実施形態では代替の形を取り得る。基板５１は、上方に曲げられたあるいはロールされた端５３と共に提供され、ラップトップ底部が落下してしまうことを防ぐために、ラップトップ支持内で強く保持する。ロールされた辺は、角度が付けられ、任意のサイズのラップトップに適応する。
【００５９】
再び、図１６を参照して、ワイヤのためのアパーチャ５４が、背面板／基板インターフェイスに隣接して背面板５２に形成される。アパーチャ５４は、ラップトップがラップトップ支持に支持されながら、ラップトップがメインおよび／または任意の他の機器に挿入されたままにされることを可能にする。
【００６０】
背面板５２の側端５８は、強度を背面板に与えるためにロールバックされている。ストラップ穴５９は、ラップトップをラップトップ支持に固定するために、各側端５８の基部に向かって提供され、セキュリティストラップあるいは複数のストラップ（示されない）に適応する。セキュリティストラップは、また、フラットパネルモニタ支持にも提供され得る。
【００６１】
図２および６において、机取り付け具は机の下側に取り付けられて示されている。代替の構成において、机取り付け具１０は、机の後ろの実質的に垂直の面に合わせられ得る。これは、要求される６００ｍｍより小さい机上面が、机取り付け具を机上面の下側に取り付けるための机のアパーチャの背後で可能である机にとっては、望ましいことである。
【００６２】
図２０は、いかにモニタ支持装置がこの種の机接続に適合可能であるかを示す。モニタブラケット３０は、スペーサアーム部材部分２０の「下側」と以前は考えられていたものに、以前は机マウント板２１の「上側」面と考えられていたものによって、以前は基板１０の「下側」と考えられていたものと協働して固定される。机の下側でかつ後ろで縦の面に固定される基板２１と共に、フラットパネルモニタは、正しい視角のための正しい高さでモニタマウント３３に取り付けられ得る。
【００６３】
モニタが完全に机の下に沈められたとき、図１に見られるように、全机上面が机として使用されることを可能にする強化ガラスパネルがアパーチャを埋めるために使用され得る。半分の板が、図７のようにモニタが半沈降状態にある部分に挿入され得る。モニタ画面を半沈降状態にすることは、タッチスクリーン技術が利用される場合に好ましい可能性がある。
【００６４】
画面が使用されていない場合、１つ以上の木製板によって全机上面が提供されるように全アパーチャが、埋められてもよい。
【００６５】
図２１は、図１０および１１に示されたスペーサアームに対する、スペーサアームの代替の実施形態を示す。スペーサアーム部材２２０は、図２１に示され、傾斜したプロット板２２２に接続される机マウント板２２１を含む。机マウント板２２１および傾斜したスロット板２２２は、机マウント板２１および傾斜したスロット板２２と同じ形を有する。図２１に示された実施形態では、しかしながら、板２２１の板２２２への接続の角度は異なる。
【００６６】
机マウント板２２１は、角度をつけた部分２２７によって、傾斜したスロット板２２２になおも接続されるが、机マウント板とスロット板との間の角度は好ましくは約４５°である。この実施形態は、スペーサアームが、机の短い断面の下側に取り付けられた机取り付け具と共に使用されることを可能にする（図２の領域２５０のような領域）。スペーサアーム２２０と共に使われるとき、机取り付け具は反転され、机マウント板２２１が机の前部／後部端から机のアパーチャに向かう方向で机取り付け具の中に滑り込むことを可能にする。結果として、机の前部／後部端に静止する角度のある部分２２７をもたらす。
【００６７】
用語「含む／含んでいる」および用語「有する／有している」は、本明細書で本発明に関して使用されるとき、述べられた特徴、数値、ステップあるいは構成部品の存在を特定するために使用されるが、１つ以上の他の特徴、数値、ステップ、構成部品あるいはそれらの群の存在あるいは追加を排除するものではない。
【００６８】
用語「モニタ」は、本明細書で本発明に関して使用されるとき、画面を使用する、ＶＥＳＡ接続のありまたはなしの、フラットパネルモニタ、ラップトップコンピュータまたはノートブックコンピュータのモニタ、テレビジョンモニタあるいはビデオモニタを含むが限定はされない任意の形式のモニタを意味する。
【００６９】
用語「机」は、本明細書で本発明に関して使用されるとき、テーブル、作業上面、作業ステーション、あるいは、ブラケット、脚、パネルあるいは他の方法によって支持される作業面を有する任意の他の構造を含むが限定はされない、任意の机あるいは机状の構造を意味する。用語「机上面」は、本明細書で本発明に関して使用されるとき、テーブル、作業上面、作業ステーションあるいは任意の他の同様な構造を含むが限定はされない、任意の机あるいは机状の構造の表面を意味する。
【００７０】
明確に別個の実施形態の文脈に記述された本発明の確実な特徴は、単一の実施形態の組み合わせでも提供され得る。逆に、単一の実施形態の文脈の中に短く記述された本発明の種々の特徴は、別個にあるいは任意の適切な準組み合わせで提供され得る。
【図１】
2010522590.tif 000003
【図２】
2010522590.tif 000004
【図３】
2010522590.tif 000005
【図４】
2010522590.tif 000006
【図５】
2010522590.tif 000007
【図６】
2010522590.tif 000008
【図７】
2010522590.tif 000009
【図８】
2010522590.tif 000010
【図９】
2010522590.tif 000011
【図１０】
2010522590.tif 000012
【図１１】
2010522590.tif 000013
【図１２】
2010522590.tif 000014
【図１３】
2010522590.tif 000015
【図１４】
2010522590.tif 000016
【図１５】
2010522590.tif 000017
【図１６】
2010522590.tif 000018
【図１７】
2010522590.tif 000019
【図１８】
2010522590.tif 000020
【図１９】
2010522590.tif 000021
【図２０】
2010522590.tif 000022
【図２１】
2010522590.tif 000023
【国際調査報告】
2010522590.tif 000024
2010522590.tif 000025
2010522590.tif 000026
2010522590.tif 000027
2010522590.tif 000028